(57)【要約】      （修正有）【課題】スクラッチ層を形成することなく、秘密情報を付与でき、台紙一体型カードが使用者に渡るまでの過程で台紙一体型カードに記載された秘密情報が第三者に見えないように秘密性を保持できる台紙一体型カードを提供する。【解決手段】第二基材２０の上面に第一基材１０を備え、第二基材の下面に第三基材３０を備え、第一基材の下面と第二基材の上面及び第二基材の下面と第三基材の上面が接合状態とされている台紙一体型カードＣ１であって、第一基材の上面又は第三基材の下面に光学読み取り可能なコード情報Ｉを備え、第二基材の下面にシリアル番号を備え、第一基材と第二基材が剥離不能に接合状態とされており、第二基材と第三基材が剥離可能に接合状態とされており、第二基材のシリアル番号を含む切り取り領域を囲繞する第一基材及び第二基材を貫通する切込Ｋを備えることを特徴とする。【選択図】図１
2018140620.tif 000002
【特許請求の範囲】
【請求項１】
第二基材の上面に第一基材を備え、第二基材の下面に第三基材を備え、第一基材の下面と第二基材の上面及び第二基材の下面と第三基材の上面が接合状態とされている台紙一体型カードであって、
前記第一基材の上面又は第三基材の下面に光学読み取り可能なコード情報を備え、前記第二基材の下面にシリアル番号を備え、
前記第一基材と前記第二基材が剥離不能に接合状態とされており、前記第二基材と前記第三基材が剥離可能に接合状態とされており、
前記第二基材の前記シリアル番号を囲む切り取り領域を囲繞する前記第一基材及び前記第二基材を貫通する切込を備えることを特徴とする台紙一体型カード。
【請求項２】
前記第二基材の一方の端部が前記第一基材の端部に連設され、前記第二基材の一方の端部に対向する他方の端部が前記第三基材の端部に連設されていることを特徴とする請求項１に記載の台紙一体型カード。
【請求項３】
前記第一基材の下面に第一隠蔽層と前記第二基材の上面に第二隠蔽層を備えることを特徴とする請求項１または請求項２に記載の台紙一体型カード。
【請求項４】
前記第二基材の下面に備える前記シリアル番号と対向する前記第三基材の上面の領域に第三隠蔽層を備えることを特徴とする請求項１乃至請求項３のいずれかに記載の台紙一体型カード。
【請求項５】
前記第三基材の角部に切欠きを備えていることを特徴とする請求項１乃至請求項４のいずれかに記載の台紙一体型カード。
【発明の詳細な説明】
【技術分野】
【０００１】
本発明は、シリアル番号等の秘密情報を備えた台紙一体型カードに関し、詳しくは、台紙一体型カードが使用者に渡るまでの過程で台紙一体型カードに記載された秘密情報が第三者に見えないように秘密性が保持されている台紙一体型カードに関する。
【背景技術】
【０００２】
近年、自社の店頭で他社のギフトカードを陳列して販売する百貨店、スーパー・マーケット、 コンビニエンス・ストアや、各種の専門店などの小売店が増加傾向にある。ギフトカードとしては例えば、音楽ダウンロード用のプリペイドカード（ｉＴｕｎｅｓ  Ｃａｒｄ（登録商標））やゲームを楽しむプリペイドカード（ニンテンドープリペイドカード、プレイステーションネットワーク カード、ＧＲＥＥ、Ｍｏｂａｇｅ、Ａｍａｚｏｎ（いずれも登録商標））等がある。
【０００３】
中でもインコム・ジャパン株式会社の提供するＰＯＳＡ（登録商標）カードというものがある。ＰＯＳＡカードは、そこに記載されているバーコードを店員がレジで読取り、購入者がその金額を支払い購入することで、初めてその購入したプリペイドカードが使えるものであり、購入したカードに記載されている例えばシリアル番号が使用可能となるものである。購入者はカードに記載されているシリアル番号を入手し、パソコンやスマートフォン等によりインターネット上でシリアル番号を入力することにより金銭として使用することができる。
【０００４】
ＰＯＳＡカードは、ＰＯＳＡシステムが採用されているプリペイドカードを、レジを通すことで初めて使える仕組みになっている。
【０００５】
ＰＯＳＡカードは、紙製台紙の上にプラスチック製のカードが剥離可能に貼付されている形態が一般的であるが、ＰＯＳＡカードの中には、カードが無く台紙に直接シリアル番号とバーコードが印字されている形態もある。
【０００６】
シリアル番号はカードに固有のコードであって、第三者には見えないように削り取り可能なスクラッチ層で覆われ隠蔽されている。カードによるサービスを利用する場合にスクラッチ層を削り取りシリアル番号を視認することが可能となる、いわゆるスクラッチカードと呼ばれる形態であり、広く知られている（例えば、特許文献１、特許文献２参照）。
【先行技術文献】
【特許文献】
【０００７】
【特許文献１】特開２０１４−１１７８１６号公報
【特許文献２】特開２０１４−２１０４０９号公報
【発明の概要】
【発明が解決しようとする課題】
【０００８】
しかしながら、プリペイドカードは、プラスチック製のＰＣカードが広く使われており、高価なものである。特にＰＯＳＡカードは、使用後、廃棄されるものであり、コストダウンが望ましい。また、特許文献１、２に開示されたカードは、いずれもスクラッチカードであって、カードの基材上に印字された秘密情報の上にこの秘密情報を覆い隠すために銀色の脆弱なスクラッチ層で隠蔽されている。したがって、秘密情報を読み取るためにはスクラッチ層を爪やコイン等で擦ることにより削り落とす必要があり、スクラッチ層を削り落とす際に発生した削り屑の後始末が面倒で手間隙がかかるものである。
【０００９】
そこで本発明は、上記問題を解決すべくなされたものであり、その目的とするところはスクラッチ層を形成することなく、シリアル番号等の秘密情報を付与でき、台紙一体型カードが使用者に渡るまでの過程で台紙一体型カードに記載された秘密情報が第三者に見えないように秘密性を保持できる台紙一体型カードを提供することにある。
【課題を解決するための手段】
【００１０】
本発明は、上記課題を達成するために、請求項１に記載の本発明は、第二基材の上面に第一基材を備え、第二基材の下面に第三基材を備え、第一基材の下面と第二基材の上面及び第二基材の下面と第三基材の上面が接合状態とされている台紙一体型カードであって、前記第一基材の上面又は第三基材の下面に光学読み取り可能なコード情報を備え、前記第二基材の下面にシリアル番号を備え、前記第一基材と前記第二基材が剥離不能に接合状態とされており、前記第二基材と前記第三基材が剥離可能に接合状態とされており、前記第二基材の前記シリアル番号を囲む切り取り領域を囲繞する前記第一基材及び前記第二基材を貫通する切込を備えることを特徴とする台紙一体型カードである。
【００１１】
また、請求項２に記載の本発明は、請求項１に記載の台紙一体型カードにおいて、前記第二基材の一方の端部が前記第一基材の端部に連設され、前記第二基材の一方の端部に対向する他方の端部が前記第三基材の端部に連設されていることを特徴とするものである。
【００１２】
また、請求項３に記載の本発明は、請求項１または請求項２に記載の台紙一体型カードにおいて、前記第一基材の下面に第一隠蔽層と前記第二基材の上面に第二隠蔽層を備えることを特徴とするものである。
【００１３】
また、請求項４に記載の本発明は、請求項１乃至請求項３のいずれかに記載の台紙一体型カードにおいて、前記第二基材の下面に備える前記シリアル番号と対向する前記第三基材の上面の領域に第三隠蔽層を備えることを特徴とするものである。
【００１４】
また、請求項５に記載の本発明は、請求項１乃至請求項４のいずれかに記載の台紙一体型カードにおいて、前記第三基材の角部に切欠きを備えていることを特徴とするものである。
【発明の効果】
【００１５】
本発明の台紙一体型カードは、スクラッチ層を形成しない構成とすることにより、スクラッチ層を削り落とす必要がなく、削り屑が発生することがない。しかも、シリアル番号等の秘密情報は第三基材で剥離可能に接着されているので台紙一体型カードが使用者に渡るまでの過程で台紙一体型カードに記載された秘密情報が第三者に見えることがなく、秘密性が保持できる。
【図面の簡単な説明】
【００１６】
【図１】本発明に係る台紙一体型カードの第一実施形態を示す平面図であって、（イ）が表面から見た図、（ロ）が裏面から見た図である。
【図２】本発明に係る台紙一体型カードの第一実施形態を示す展開図であり、（イ）は一の面から見た展開図であり、（ロ）は反対側の二の面から見た展開図である。
【図３】図１のＡ−Ａ線断面図である。
【図４】本発明に係る台紙一体型カードの使用方法を説明する説明図である。
【図５】本発明に係る台紙一体型カードの使用方法を説明する説明図である。
【図６】本発明に係る台紙一体型カードの第二実施形態を示す平面図であって、（イ）が表面から見た図、（ロ）が裏面から見た図である。
【図７】本発明に係る台紙一体型カードの第三実施形態を示す平面図であって、（イ）が表面から見た図、（ロ）が裏面から見た図である。
【図８】本発明に係る台紙一体型カードの第四実施形態を示す平面図であって、（イ）が表面から見た図、（ロ）が裏面から見た図である。
【図９】本発明に係る台紙一体型カードの製造方法の一実施例を説明する図である。
【発明を実施するための形態】
【００１７】
上記の本発明について、図面等を用いて以下に詳述する。
【００１８】
図１は本発明に係る台紙一体型カードの第一実施形態を示す平面図であって、（イ）が表面から見た図、（ロ）が裏面から見た図、図２は本発明に係る台紙一体型カードの第一実施形態を示す展開図であり、（イ）は一の面から見た展開図であり、（ロ）は反対側の二の面から見た展開図、図３は図１のＡ−Ａ線断面図、図４および図５は本発明に係る台紙一体型カードの使用方法を説明する説明図、図６は本発明に係る台紙一体型カードの第二実施形態を示す平面図であって、（イ）が表面から見た図、（ロ）が裏面から見た図、図７は本発明に係る台紙一体型カードの第三実施形態を示す平面図であって、（イ）が表面から見た図、（ロ）が裏面から見た図、図８は本発明に係る台紙一体型カードの第四実施形態を示す平面図であって、（イ）が表面から見た図、（ロ）が裏面から見た図、図９は本発明に係る台紙一体型カードの製造方法の一実施例を説明する図であり、
図中のＣ１、Ｃ２、Ｃ３、Ｃ４は台紙一体型カード、Ｂは基材、１０は第一基材、１１は第一隠蔽層、１２は第一基材の上面、１３は第一基材の下面、１４は第一基材の端部、２０は第二基材、２１は第二隠蔽層、２２は第二基材の上面、２３は第二基材の下面、２４は第二基材の一方の端部、２５は第二基材の他方の端部、３０は第三基材、３１は第三隠蔽層、３２は第三基材の上面、３３は第三基材の下面、３５は第三基材の端部、４０は強接着シート、５０は擬似接着シート、Ｉは光学読み取り可能なコード情報、Ｓはシリアル番号、６０、６０’、６０’’は切り取り領域、６１はカード、６２は切り取り領域外縁印刷部、７０は台紙、７１はカード支持部、８０は切欠き、９０は吊下げ孔、Ｋは切込、Ｘは支持基材層、Ｙは熱可塑性樹脂層、Ｚは感熱接着剤層、Ｍはマージナル部、Ｔは移送孔、ａ、ｂは折部、αは第三基材の外縁からの長さをそれぞれ示す。
【００１９】
図１は本発明に係る台紙一体型カードＣ１の第一実施形態を示す平面図であって、（イ）が表面から見た図、（ロ）が裏面から見た図である。台紙一体型カードＣ１は、矩形状で下方の角部が角丸とされる切り取り領域６０が設けられ、上方の中央には吊下げ孔９０が設けられている。台紙一体型カードＣ１の表面から見ると図１の（イ）に示すように第一基材１０が見えており、上部に切込Ｋにより囲繞された切り取り領域６０を備えている。下部には光学読み取り可能なコード情報Ｉを備えている。切り取り領域６０は、後述するが取り出し可能な構造を備えており、取り出すとカード６１（図５参照）になり、携帯可能とされている。切り取り領域６０には図示しないがデザインやカード特有のロゴ等が記載されている。また、図示しないが切り取り領域６０と光学読み取り可能なコード情報Ｉの間は情報記載部とされている。なお、吊下げ孔９０は吊下げ展示が容易となるので設ける方が好ましく、吊下げ孔９０の形状も任意であるが、横に長孔状で中央上部が上方に凸状となった形状が吊下げ操作が容易で好ましい。
【００２０】
台紙一体型カードＣ１の裏面から見ると下方の角部に台紙一体型カードＣ１を開封するための切欠き８０を備えている。切欠き８０は第三基材３０のみに形成されており、第二基材２０の一部が露出している。裏面は図示しないが情報記載部として活用される。
【００２１】
図２は本発明に係る台紙一体型カードＣ１の第一実施形態を示す展開図であり、（イ）は一の面から見た展開図であり、（ロ）は反対側の二の面から見た展開図である。台紙一体型カードＣ１は、一枚の基材Ｂからなり、第二基材の一方の端部２４が第一基材の端部１４に連設され、第二基材の一方の端部２４に対向する第二基材の他方の端部２５が第三基材の端部３５に連設されている。これらの各基材はそれぞれが連設された部分を折部としてＺ状に三つ折りし接合状態とすることにより台紙一体型カードＣ１となるものであり、図２の（イ）において、第一基材の上面１２、第二基材の下面２３および第三基材の上面３２がそれぞれ見えている。
【００２２】
第一基材１０は、上部に切り取り領域６０を囲繞する切込Ｋを備え、下部に光学読み取り可能なコード情報Ｉを備えている。第二基材２０は、上部に切り取り領域６０を囲繞する切込Ｋを備えている。第一基材１０と第二基材２０が接合状態とされたとき、それぞれの切り取り領域６０は一致する。そして、第二基材の下面２３には切込Ｋで囲繞された切り取り領域６０内にシリアル番号Ｓを備える。第三基材３０は、第三基材の上面３２の領域に第三隠蔽層３１を備え、第二基材２０と第三基材３０が接合状態とされたとき、第二基材の下面２３に備えるシリアル番号Ｓと第三隠蔽層３１は対向し、シリアル番号Ｓは第三隠蔽層３１で隠蔽され第三基材の下面３３から第三者に読み取られることがなく安全性が高まるので第三隠蔽層３１は設ける方が好ましい。
【００２３】
図２の（ロ）において、第三基材の下面３３、第二基材の上面２２および第一基材の下面１３がそれぞれ見えている。第三基材３０は下方の角部に切欠き８０を備えている。切欠き８０により台紙一体型カードＣの開封が容易となるので設ける方が好ましい。第二基材の上面２２には第二隠蔽層２１を備え、第一基材の下面１３には第一隠蔽層１１を備える。第二隠蔽層２１、第一隠蔽層１１はシリアル番号Ｓを第一基材の上面１２から第三者に読み取られることを防ぐものであり設ける方が好ましい。第一隠蔽層１１、第二隠蔽層２１は全面に設けたが、少なくともシリアル番号Ｓと対応する領域に設ければ良いものである。
【００２４】
図３は図１のＡ−Ａ線断面図である。図３に示すように本発明の第一実施形態の台紙一体型カードＣは、一枚の基材ＢをＺ状に三つ折りし、上から順に第一基材１０、第二基材２０、第三基材３０を重ねて接合状態にしたものである。すなわち、第二基材２０の上面に第一基材１０を備え、第二基材２０の下面に第三基材３０を備え、第一基材の下面１３と第二基材の上面２２及び第二基材の下面２３と第三基材の上面３２が接合状態とされている。
【００２５】
第一基材１０と第二基材２０は、強接着シート４０により接着され、剥離不能に接合状態とされている。第二基材２０と第三基材３０は、擬似接着シート５０により接着され、剥離可能に接合状態とされている。強接着シート４０は、第二基材２０の一方の端部と第一基材１０の端部が連設され折り曲げられた折部ａおよび第二基材２０の他方の端部と第三基材３０の端部が連設され折り曲げられた折部ｂより少し後退させて第一基材１０と第二基材２０とを剥離不能に接合されている。擬似接着シート５０も、折部ａおよび折部ｂより少し後退させて第二基材２０と第三基材３０とを剥離可能に接合されている。特に折部ａ側において、第三基材３０の角部に切欠き８０を設ける場合、切欠き８０が擬似接着シート５０にかからない位置まで擬似接着シート５０を後退させることが肝要である。
【００２６】
強接着シート４０は、例えばポリエステルフィルム等の支持基材層Ｘの両面に感熱接着剤層Ｚが設けられた３層構成からなるものであり、それぞれの感熱接着剤層Ｚが第一基材１０と第二基材２０に熱接着され剥離不能に接合するものである。擬似接着シート５０は透明性を有しており、例えばポリエステルフィルム等の支持基材層Ｘの一方の面にポリオレフィン樹脂等の熱可塑性樹脂層Ｙを剥離可能に積層した支持体の両面に感熱接着剤層Ｚが設けられた４層構成からなるものであり、それぞれの感熱接着剤層Ｚが第二基材２０と第三基材３０に熱接着され支持基材層Ｘと熱可塑性樹脂層Ｙの間で剥離可能に接合するものである。なお、第一基材１０と第二基材２０は接着剤を用いて剥離不能に接合してもよい。また、第二基材２０と第三基材３０は、例えば粘着主剤、粘着力調整剤等を配合した擬似接着剤を用いて剥離可能に接合してもよい。
【００２７】
図３に示すように第二基材２０のシリアル番号Ｓを含む切り取り領域６０を囲繞する切込Ｋは、第一基材１０及び第二基材２０を貫通している。また、擬似接着シート５０により第二基材２０と第三基材３０を接合するときは、切込Ｋが、第一基材１０及び第二基材２０を貫通し、熱可塑性樹脂層Ｙと支持基材層Ｘの境界面に達する深さに設けることが好ましい。切込Ｋはカード６１（図５参照）として台紙一体型カードＣ１から切り取り領域６０を切り取りために設けるものであり、通常、切込線として形成される。切り取り可能であれば、形状は特に限定されない。また、切込線は第二基材２０と第三基材３０を剥離したとき、カード６１が脱落することや、第三基材３０側に残存することを防ぐために切込Ｋを備えた切込線の間に非切目として歯止めを適宜設けることが好ましい。
【００２８】
台紙一体型カードＣ１は、第一基材１０と第二基材２０と第三基材３０それぞれ分離独立していてもよい。しかし、第一基材１０と第二基材２０と第三基材３０が端部で連設された一枚の基材Ｂで構成する方が好ましい。その理由として、基材Ｂの一の面には図２の（イ）に示すように第一基材の上面１２、第二基材の下面２３、及び第三基材の上面３２が同一面に配置されることになり、第一基材の上面１２に備える光学読み取り可能なコード情報Ｉと第二基材の下面２３に備えるシリアル番号Ｓとを同一面で形成することができるので、例えばＰＯＳＡカードとして用いる場合、光学読み取り可能なコード情報Ｉとシリアル番号Ｓとを確実に一致させることができる。光学読み取り可能なコード情報Ｉやシリアル番号Ｓはカード固有の情報として扱う情報であり例えばインクジェットプリンター、レーザープリンター等のプリンターで印字される。光学読み取り可能なコード情報Ｉとしては、バーコード等の一次元コードやＱＲコード（登録商標）等の二次元コードが用いられる。
【００２９】
本発明の台紙一体型カードＣ１に用いられる第一基材１０、第二基材２０、第三基材３０としては、片面または両面にクレー等がコートされたコート紙、あるいは上質紙、中質紙等の非コート紙が使用できる。坪量としては５０〜３００ｇ／ｍ2 である。また、紙カードの大きさは、（ＩＳＯ／ＩＥＣ７８１０）やＪＩＳ（ＪＩＳ６３０１） によって規定されているサイズが一般的であるが限定されるものではなく任意である。
【００３０】
つぎに、図１、図４、図５を参照しながら本発明の第一実施形態である台紙一体型カードＣの使用方法を説明する。図１に示すように台紙一体型カードＣ１の切欠き８０を剥離開始部として一方の手指で第一基材１０と第二基材２０を摘み、他方の手指で第三基材３０を摘み相反する方向に引っ張ると擬似接着シート５０の熱可塑性樹脂層Ｙと支持基材層Ｘの間で剥離が起こり、図４に示すように支持基材層Ｘと感熱接着剤層Ｚは第三基材３０に接合され、熱可塑性樹脂層Ｙと感熱接着剤層Ｚは第二基材２０に接合された状態で見開きされる。見開きされた第二基材２０側にはシリアル番号Ｓが現れ熱可塑性樹脂層Ｙと感熱接着剤層Ｚを透してシリアル番号Ｓを読み取ることができる。図４の（イ）は見開きとなった台紙一体型カードＣ１の平面図であり、図４の（ロ）は断面図である。なお、図４の（イ）では擬似接着シート５０は記載していない。
【００３１】
切込Ｋにより囲繞された切り取り領域６０を指で押すと台紙一体型カードＣ１から容易に切り離すことができ、カード６１を分離することができる。その状態を図５（ハ）の平面図、図５（ニ）の断面図に示す。なお、図５（ハ）では擬似接着シート５０は記載していない。
【００３２】
図６は本発明に係る台紙一体型カードの第二実施形態を示す平面図であって、（イ）が表面から見た図、（ロ）が裏面から見た図である。台紙一体型カードＣ２は、電車のキャラクターのデザインの輪郭をなぞった切り取り領域６０’が設けられ、その他の形態は、図１の第一実施形態と同様である。切り取り領域６０’は切り取られてカード（第一実施形態のカード６１に相当）になる。図１および図５に示すように切り取られてカードになる切り取り領域が矩形状であれば、切り取り領域から切り取られたカードが矩形状になり、財布やポケット等に収納しやすく取扱いが便利で望ましいが、図６に示すように、カードの形状は矩形状に限定されず、多様な形状を採用でき、例えば、多角形形状、丸形状や乗り物などのキャラクターのデザインの輪郭をなぞった形状などいずれであってもよい。多様な形状を採用することで、デザイン性の優れたカードを使用者に提供することが可能となる。
【００３３】
図７は本発明に係る台紙一体型カードの第三実施形態を示す平面図であって、（イ）が表面から見た図、（ロ）が裏面から見た図である。台紙一体型カードＣ３は、第一基材の上面１２上の切り取り領域６０’’の切込Ｋよりも台紙一体型カードＣ３の外縁側に延設して、切込Ｋの形状をなぞった切り取り領域外縁印刷部６２が設けられており、その他の形態は、図１の第一実施形態と同様である。切り取り領域外縁印刷部６２は、切り取り領域６０’’に印刷されたデザインの一部として形成されていてもよい。例えば、第一基材の上面１２上の切り取り領域６０’’および切り取り領域外縁印刷部６２とを同色に設け、第一基材の上面１２の切り取り領域６０’’および切り取り領域外縁印刷部６２を除く領域を、切り取り領域６０’’および切り取り領域外縁印刷部６２とは異なる色で形成することが好ましい。第一基材の上面１２の切り取り領域６０’’および切り取り領域外縁印刷部６２と第一基材の上面１２の切り取り領域６０’’および切り取り領域外縁印刷部６２を除く領域に色味の差を設けることで、切り取り領域６０’’が切り取られてカードになる箇所のカード（第一実施形態のカード６１に相当）の存在を使用者に容易に視認させることができるため、使用者が最初に第一基材の上面１２側から台紙一体型カードＣ３の外側に向かってカードになる部分を無理に取り外そうとした場合でも、カードの位置を確認した上で取り外しをすることが可能となり、カードを無理に取り外そうとした場合に生じる可能性のあるカードの破れや破損を未然に防止することができる。
【００３４】
図８は本発明に係る台紙一体型カードの第四実施形態を示す平面図であって、（イ）が表面から見た図、（ロ）が裏面から見た図である。台紙一体型カードＣ４は、（イ）に示すように第一基材１０の第一基材の上面１２には、光学読み取り可能なコード情報Ｉを備えていない。また、（ロ）に示すように第三基材３０の下部の第三基材の下面３３には、光学読み取り可能なコード情報Ｉを備えている。その他の形態は、図１の第一実施形態と同様である。光学読み取り可能なコード情報Ｉは、図１および図８に示すように（イ）又は（ロ）のいずれかに備えていれば良いものである。これにより、カードのデザイン性に自由度が増し、デザイン性の優れたカードを使用者に提供することが可能となる。なお、図示しないが、図６に示す第二実施形態および図７に示す第三実施形態においても、（イ）に示す第一基材１０の第一基材の上面１２には、光学読み取り可能なコード情報Ｉを備えず、（ロ）に示す第三基材３０の第三基材の下面３３には光学読み取り可能なコード情報Ｉを備えていても良い。
【００３５】
つぎに図９を参照しながら本発明に係る台紙一体型カードの製造方法の一実施例を説明する。図９は第一実施形態の台紙一体型カードＣ１の製造方法を代表例として示したものである。本発明の台紙一体型カードＣ１は、第一基材１０と第二基材２０と第三基材３０が順に連設された基材Ｂを備えた広幅用紙を用いて、広幅の状態で表裏に印刷を施す。具体的には広幅用紙の一方の面には左から順に第一基材の上面１２と第二基材の下面２３と第三基材の上面３２が配設されており、第一基材の上面１２には切り取り領域６０にカードであることを示す文字、記号や意匠性を高めるデザイン、さらに切り取り領域６０以外に光学読み取り可能なコード情報Ｉが印刷され、第二基材の下面２３には切り取り領域６０にシリアル番号Ｓが印刷され、第三基材の上面３２には、折部ｂで折り曲げて第二基材の下面２３と第三基材の上面３２とを重ね合わせたとき、シリアル番号Ｓに対応する位置に第三隠蔽層３１がそれぞれ印刷される。
【００３６】
広幅用紙の他方の面の広幅用紙の一方の面に対応する位置（図９における裏面側）に第一基材の下面１３と第二基材の上面２２と第三基材の下面３３が配設されており（図２参照）、第一基材の下面１３には第一隠蔽層１１、第二基材の上面２２には第二隠蔽層２１がそれぞれ印刷される。そして、第一基材１０、第二基材２０および第三基材３０の露出される余白は種々の情報が印刷され情報提供欄として利用される。本発明の台紙一体型カードＣ１は、第一基材１０、第二基材２０、第三基材３０を別パーツとして印刷し、それぞれ丁合することにより製造することもできるが、一枚の基材Ｂに第一基材１０、第二基材２０および第三基材３０が連設された構成とすることが好ましく、前記製造方法により同一面にカード６１の固有情報である光学読み取り可能なコード情報Ｉ、シリアル番号Ｓが印刷できるのでそれぞれが不一致になることが防止できる効果を奏する。さらに、第三基材３０を第二基材２０から剥離したとき、露出される第二基材の下面２３及び第三基材の上面３２、剥離する前に露出されている第一基材の上面１２及び第三基材の下面３３において、余白に種々の情報を掲載することが可能となるので使用者に届ける情報量が増大する。
【００３７】
台紙一体型カードＣ１には、カード６１に固有の光学読み取り可能なコード情報Ｉ、シリアル番号Ｓが可変情報として印刷され、それ以外は固定情報として印刷されており、固定情報は通常オフセット方式で印刷され、可変情報は、インクジェットプリンター、レーザープリンターにより印刷される。なお、広幅用紙には図９（イ）に示すように基材Ｂの両端にマージナル部Ｍが設けられ、マージナル部Ｍには、移送孔Ｔが形成され、移送孔Ｔを形成することにより印刷工程、丁合工程で各移送孔Ｔの位置合せをしてピンを通すことにより見当合せを可能とするものである。また、印刷工程で第三基材３０の所定位置に切欠き８０を形成するための切目を施す。
【００３８】
印刷後、例えば、ＪＥＭＩＴＳ（登録商標）システムを用いて第一基材１０と第二基材２０の連設された位置を折部ａ、第二基材２０と第三基材３０が連接された位置を折部ｂとしてＺ状に三つ折りし、第一基材１０と第二基材２０の間に強接着シート４０、第二基材２０と第三基材３０の間に擬似接着シート５０を挿入し、両端のマージナル部Ｍをスリットし切り離し、熱ロール間に通して熱圧着し第一基材１０、第二基材２０、第三基材３０を感熱接着させ一体化した後、冷却し、所定の切刃を備えたダイロールで第一基材１０、第二基材２０、第三基材３０を貫通する吊下げ孔９０を形成し、さらに第一基材の上面１２側からハーフカットを施し、擬似接着シート５０の熱可塑性樹脂層Ｙを貫通し支持基材層Ｘに達する切込Ｋ（図３参照）を形成する。そして、台紙一体型カードＣ１の外郭に相当する切刃を備えたダイロールでカットすることにより図１に示す台紙一体型カードＣ１が製造される。なお、擬似接着シート５０を第二基材２０と第三基材３０の間に挿入するとき、切欠き８０と擬似接着シート５０が重ならないように第三基材３０の第三基材の端部３５と対向する第三基材の外縁からの長さαを後退させて擬似接着シート５０を挿入させることが好ましい。
【００３９】
なお、今まで説明してきた実施形態は、本発明に係る台紙一体型カードＣ１を代表例として挙げたものであって、本発明に係る台紙一体型カードＣ１、Ｃ２、Ｃ３、Ｃ４はこれに限るものではなく、本発明の趣旨を逸脱しない範疇のものは、すべて本発明に含まれるものである。
【実施例】
【００４０】
〔実施例１〕
基材Ｂを備えた広幅用紙に坪量９３．７ｇ／ｍ2 のコート紙を用い、両面にオフセット印刷を行い、固定情報と隠蔽層を設けた。さらに可変情報をレーザープリンターで印字し、所定位置に光学読み取り可能なコード情報Ｉとして、バーコードとシリアル番号Ｓを形成した。
【００４１】
つぎに強接着シート４０として支持基材層Ｘに厚さ１６μｍのポリエステルフィルムを用い、その両面に感熱接着剤層Ｚとしてポリエステル樹脂を塗工したものを用い、擬似接着シート５０として支持基材層Ｘに厚さ１６μｍのポリエステルフィルム、熱可塑性樹脂層Ｙに厚さ１０μｍのアイオノマー樹脂を用いて積層され、その両面に感熱接着剤層Ｚとしてポリエステル樹脂を塗工したもの（ジェミッツテープ（登録商標））を用い、広幅用紙の基材ＢをＺ状に三つ折りし、第一基材１０と第二基材２０の間に強接着シート４０、第二基材２０と第三基材３０の間に擬似接着シート５０を挿入し、両端のマージナル部Ｍをスリットし切り離し、熱ロール間に通して熱圧着し第一基材１０、第二基材２０、第三基材３０を感熱接着させ一体化した後、冷却し、所定の切刃を備えたダイロールで打ち抜き加工し、吊下げ孔９０と切り取り領域６０を囲繞する切込Ｋを備えた図１に示す台紙一体型カードＣ１を作製した。
〔実施例２〕
実施例１と同様に、図６に示す台紙一体型カードＣ２を作製した。実施例２の台紙一体型カードＣ２は、切り取り領域が電車のキャラクターのデザインの輪郭をなぞった切り取り領域６０’を形成した以外は実施例１と同じである。
〔実施例３〕
実施例１と同様に、図７に示す台紙一体型カードＣ３を作製した。実施例３の台紙一体型カードＣ３は、第一基材の上面１２上の切り取り領域６０’’の切込Ｋよりも台紙一体型カードＣ３の外縁側に延設して、切込Ｋの形状をなぞった切り取り領域外縁印刷部６２を形成した以外は実施例１と同じである。
【符号の説明】
【００４２】
Ｃ１、Ｃ２、Ｃ３、Ｃ４      台紙一体型カード
Ｂ                          基材
１０                        第一基材
１１                        第一隠蔽層
１２                        第一基材の上面
１３                        第一基材の下面
１４                        第一基材の端部
２０                        第二基材
２１                        第二隠蔽層
２２                        第二基材の上面
２３                        第二基材の下面
２４                        第二基材の一方の端部
２５                        第二基材の他方の端部
３０                        第三基材
３１                        第三隠蔽層
３２                        第三基材の上面
３３                        第三基材の下面
３５                        第三基材の端部
４０                        強接着シート
５０                        擬似接着シート
Ｉ                          光学読み取り可能なコード情報
Ｓ                          シリアル番号
６０、６０’、６０’’      切り取り領域
６１                        カード
６２                        切り取り領域外縁印刷部
７０                        台紙
７１                        カード支持部
８０                        切欠き
９０                        吊下げ孔
Ｋ                          切込
Ｘ                          支持基材層
Ｙ                          熱可塑性樹脂層
Ｚ                          感熱接着剤層
Ｍ                          マージナル部
Ｔ                          移送孔
ａ、ｂ                      折部
α                          第三基材の外縁からの長さ
【図１】
2018140620.tif 000003
【図２】
2018140620.tif 000004
【図３】
2018140620.tif 000005
【図４】
2018140620.tif 000006
【図５】
2018140620.tif 000007
【図６】
2018140620.tif 000008
【図７】
2018140620.tif 000009
【図８】
2018140620.tif 000010
【図９】
2018140620.tif 000011